(57)【要約】      （修正有）【課題】紙葉類の分類用種別の内容に応じて集積部で集積される紙葉類の上限枚数を設定することができ紙葉類処理装置を提供する。【解決手段】紙葉類を処理する紙葉類処理装置は、紙葉類を識別する識別部５５と、識別部５５で識別された分類用種別の内容に基づいて紙葉類を集積する集積部と、集積部に集積される紙葉類の上限枚数を分類用種別の内容に紐付けて記憶したメイン記憶部５６、スタッカ記憶部１３６から、集積部で集積される紙葉類の分類用種別の内容に対応した紙葉類の上限枚数を読み出して、当該集積部で集積される紙葉類の上限枚数を設定するメイン制御部５０，スタッカ制御部１３５と、を備える。【選択図】図５
2016085595.tif 000002
【特許請求の範囲】
【請求項１】
紙葉類を処理する紙葉類処理装置において、
紙葉類を識別する識別部と、
前記識別部で識別された分類用種別の内容に基づいて紙葉類を集積する集積部と、
前記集積部に集積される紙葉類の上限枚数を前記分類用種別の内容に紐付けて記憶した記憶部から、前記集積部で集積される前記紙葉類の前記分類用種別の内容に対応した紙葉類の上限枚数を読み出して、当該集積部で集積される紙葉類の上限枚数を設定する制御部と、
を備えたことを特徴とする紙葉類処理装置。
【請求項２】
前記紙葉類の前記分類用種別は、通貨の種類、紙幣の金種、紙幣の刷種又は紙葉類の正損を含むことを特徴とする請求項１に記載の紙葉類処理装置。
【請求項３】
前記集積部は複数設けられており、
前記分類用種別は複数あり、
複数の前記分類用種別に第１の分類用種別が含まれ、
前記記憶部は、前記集積部に集積される紙葉類の上限枚数を、前記第１の分類用種別の複数の内容のそれぞれに紐付けて記憶しており、
２つ以上の前記集積部が前記第１の分類用種別の異なる内容に基づいて紙葉類を集積する場合は、前記第１の分類用種別の内容に基づいて前記２つ以上の集積部のそれぞれに集積される紙葉類の上限枚数が設定されることを特徴とする請求項１又は２のいずれかに記載の紙葉類処理装置。
【請求項４】
複数の前記分類用種別に前記第１の分類用種別及び第２の分類用種別が含まれ、
前記２つ以上の集積部において、異なる内容の前記第１の分類用種別からなり、かつ、同じ内容の前記第２の分類用種別からなる紙葉類が集積されることを特徴とする請求項３に記載の紙葉類処理装置。
【請求項５】
前記第１の分類用種別は紙幣の正損であり、
前記第２の分類用種別は紙幣の金種であることを特徴とする請求項４に記載の紙葉類処理装置。
【請求項６】
前記集積部で集積される紙葉類の前記分類用種別の内容が変更されたときに、前記集積部で集積される紙葉類の上限枚数を、変更後の前記分類用種別の内容に基づいて変更することを特徴とする請求項１乃至５のいずれかに記載の紙葉類処理装置。
【請求項７】
前記紙葉類の正損の内容は、外部装置で用いられるのに適した第一分類と、外部装置以外で用いられるのに適した第二分類と、利用されることに適さない第三分類とを含むことを特徴とする請求項２乃至６のいずれかに記載の紙葉類処理装置。
【請求項８】
前記第一分類に対して設定される上限枚数は、前記第二分類に対して設定される上限枚数又は前記第三分類に対して設定される上限枚数よりも多いことを特徴とする請求項７に記載の紙葉類処理装置。
【請求項９】
前記第二分類に対して設定される上限枚数は、前記第三分類に対して設定される上限枚数と同数又は略同数であることを特徴とする請求項７又は８のいずれかに記載の紙葉類処理装置。
【請求項１０】
前記紙葉類の前記分類用種別は、紙葉類の表裏又は紙葉類の方向を含むことを特徴とする請求項１乃至９のいずれか１項に記載の紙葉類処理装置。
【請求項１１】
前記制御部は、前記識別部で識別された紙葉類の前記分類用種別の内容に基づいて、前記記憶部から当該紙葉類の前記分類用種別の内容に対応した紙葉類の上限枚数を読み出して、当該紙葉類が搬送された集積部で集積される紙葉類の上限枚数を設定することを特徴とする請求項１乃至１０のいずれか１項に記載の紙葉類処理装置。
【請求項１２】
前記集積部で集積される紙葉類の前記分類用種別の内容が予め設定されており、
前記制御部は、予め設定された前記分類用種別の内容に基づいて、前記記憶部から当該紙葉類の前記分類用種別の内容に対応した紙葉類の上限枚数を読み出して、前記集積部で集積される紙葉類の上限枚数を設定することを特徴とする請求項１乃至１０のいずれか１項に記載の紙葉類処理装置。
【請求項１３】
前記記憶部で記憶されている前記上限枚数を変更するための変更モードに切替可能となっていることを特徴とする請求項１乃至１２のいずれか１項に記載の紙葉類処理装置。
【請求項１４】
紙葉類を処理する紙葉類処理装置を含む紙葉類処理システムにおいて、
紙葉類を識別する識別部と、
前記識別部で識別された分類用種別の内容に基づいて紙葉類を集積する集積部と、
前記集積部に集積される紙葉類の上限枚数を紙葉類の前記分類用種別の内容に紐付けて記憶した記憶部と、
前記記憶部から前記集積部で集積される前記紙葉類の前記分類用種別の内容に対応した紙葉類の上限枚数を読み出して、当該集積部で集積される紙葉類の上限枚数を設定する制御部と、
を備えたことを特徴とする紙葉類処理システム。
【請求項１５】
紙葉類を処理する紙葉類処理装置を用いた紙葉類処理方法において、
識別部で紙葉類を識別することと、
前記識別部で識別された分類用種別の内容に基づいて紙葉類を集積部に集積することと、
を備え、
前記集積部に集積される紙葉類の上限枚数を紙葉類の前記分類用種別の内容に紐付けて記憶した記憶部から、前記集積部で集積される前記紙葉類の前記分類用種別の内容に対応した紙葉類の上限枚数を読み出して、当該集積部で集積される紙葉類の上限枚数が設定されることを特徴とする紙葉類処理方法。
【発明の詳細な説明】
【技術分野】
【０００１】
本発明は、紙葉類を処理する紙葉類処理装置、紙葉類処理システム及び紙葉類処理方法に関する。
【背景技術】
【０００２】
従来から、紙葉類を受け入れるための受入部と、受入部で受け入れられた紙葉類を搬送するための搬送部と、搬送部で搬送された紙葉類を識別する識別部と、識別部で識別された紙葉類を集積する集積部とを備えた紙葉類処理装置が知られている（例えば、特許文献１及び２参照）。そして、特許文献２では、集積部で集積される上限枚数を適当な枚数に設定することが開示されている。
【先行技術文献】
【特許文献】
【０００３】
【特許文献１】特開２０１３−２５４３９２号公報
【特許文献２】特許第５０９１３５９号公報
【発明の概要】
【発明が解決しようとする課題】
【０００４】
しかしながら、特許文献２で開示されているのは、あくまでも集積部で集積される紙葉類の上限枚数であり、紙葉類の分類用種別（例えば、通貨の種類、紙幣の金種、紙幣の刷種、紙葉類の正損、紙葉類の表裏又は紙葉類の方向）の内容に応じて、当該集積部で集積される紙葉類の上限枚数を設定することは全く想定されていない。
【０００５】
本発明は、このような点を鑑みてなされたものであり、紙葉類の分類用種別の内容に応じて集積部で集積される紙葉類の上限枚数を設定することができる紙葉類処理装置、紙葉類処理システム及び紙葉類処理方法を提供する。
【課題を解決するための手段】
【０００６】
本発明による紙葉類処理装置は
紙葉類を処理する紙葉類処理装置であって、
紙葉類を識別する識別部と、
前記識別部で識別された分類用種別の内容に基づいて紙葉類を集積する集積部と、
前記集積部に集積される紙葉類の上限枚数を前記分類用種別の内容に紐付けて記憶した記憶部から、前記集積部で集積される前記紙葉類の前記分類用種別の内容に対応した紙葉類の上限枚数を読み出して、当該集積部で集積される紙葉類の上限枚数を設定する制御部と、
を備える。
【０００７】
本発明による紙葉類処理装置において、
前記紙葉類の前記分類用種別は、通貨の種類、紙幣の金種、紙幣の刷種又は紙葉類の正損を含んでもよい。
【０００８】
本発明による紙葉類処理装置において、
前記集積部は複数設けられており、
前記分類用種別は複数あり、
複数の前記分類用種別に第１の分類用種別が含まれ、
前記記憶部は、前記集積部に集積される紙葉類の上限枚数を、前記第１の分類用種別の複数の内容のそれぞれに紐付けて記憶しており、
２つ以上の前記集積部が前記第１の分類用種別の異なる内容に基づいて紙葉類を集積する場合は、前記第１の分類用種別の内容に基づいて前記２つ以上の集積部のそれぞれに集積される紙葉類の上限枚数が設定されてもよい。
【０００９】
本発明による紙葉類処理装置において、
複数の前記分類用種別に前記第１の分類用種別及び第２の分類用種別が含まれ、
前記２つ以上の集積部において、異なる内容の前記第１の分類用種別からなり、かつ、同じ内容の前記第２の分類用種別からなる紙葉類が集積されてもよい。
【００１０】
本発明による紙葉類処理装置において、
前記第１の分類用種別は紙幣の正損であり、
前記第２の分類用種別は紙幣の金種であってもよい。
【００１１】
本発明による紙葉類処理装置において、
前記集積部で集積される紙葉類の前記分類用種別の内容が変更されたときに、前記集積部で集積される紙葉類の上限枚数を、変更後の前記分類用種別の内容に基づいて変更してもよい。
【００１２】
本発明による紙葉類処理装置において、
前記紙葉類の正損の内容は、外部装置で用いられるのに適した第一分類と、外部装置以外で用いられるのに適した第二分類と、利用されることに適さない第三分類とを含んでもよい。
【００１３】
本発明による紙葉類処理装置において、
前記第一分類に対して設定される上限枚数は、前記第二分類に対して設定される上限枚数又は前記第三分類に対して設定される上限枚数よりも多くなっていてもよい。
【００１４】
本発明による紙葉類処理装置において、
前記第二分類に対して設定される上限枚数は、前記第三分類に対して設定される上限枚数と同数又は略同数であってもよい。
【００１５】
本発明による紙葉類処理装置において、
前記紙葉類の前記分類用種別は、紙葉類の表裏又は紙葉類の方向を含んでもよい。
【００１６】
本発明による紙葉類処理装置において、
前記制御部は、前記識別部で識別された紙葉類の前記分類用種別の内容に基づいて、前記記憶部から当該紙葉類の前記分類用種別の内容に対応した紙葉類の上限枚数を読み出して、当該紙葉類が搬送された集積部で集積される紙葉類の上限枚数を設定してもよい。
【００１７】
本発明による紙葉類処理装置において、
前記集積部で集積される紙葉類の前記分類用種別の内容が予め設定されており、
前記制御部は、予め設定された前記分類用種別の内容に基づいて、前記記憶部から当該紙葉類の前記分類用種別の内容に対応した紙葉類の上限枚数を読み出して、前記集積部で集積される紙葉類の上限枚数を設定してもよい。
【００１８】
本発明による紙葉類処理装置において、
前記紙葉類の前記分類用種別の内容に紐付けられて前記記憶部で記憶されている、前記集積部に集積される紙葉類の上限枚数を変更するための変更モードに切替可能となっていてもよい。
【００１９】
本発明による紙葉類処理システムは、
紙葉類を処理する紙葉類処理装置を含む紙葉類処理システムであって、
紙葉類を識別する識別部と、
前記識別部で識別された分類用種別の内容に基づいて紙葉類を集積する集積部と、
前記集積部に集積される紙葉類の上限枚数を紙葉類の前記分類用種別の内容に紐付けて記憶した記憶部と、
前記記憶部から前記集積部で集積される前記紙葉類の前記分類用種別の内容に対応した紙葉類の上限枚数を読み出して、当該集積部で集積される紙葉類の上限枚数を設定する制御部と、
を備える。
【００２０】
本発明による紙葉類処理方法は、
紙葉類を処理する紙葉類処理装置を用いた紙葉類処理方法であって、
識別部で紙葉類を識別することと、
前記識別部で識別された分類用種別の内容に基づいて紙葉類を集積部に集積することと、
を備え、
前記集積部に集積される紙葉類の上限枚数を紙葉類の前記分類用種別の内容に紐付けて記憶した記憶部から、前記集積部で集積される前記紙葉類の前記分類用種別の内容に対応した紙葉類の上限枚数を読み出して、当該集積部で集積される紙葉類の上限枚数が設定される。
【発明の効果】
【００２１】
本発明によれば、記憶部から、集積部で集積される紙葉類の分類用種別の内容に対応した紙葉類の上限枚数を読み出して、当該集積部で集積される紙葉類の上限枚数を設定する。このため、紙葉類の分類用種別の内容に応じて集積部で集積される紙葉類の上限枚数を設定することができる。
【図面の簡単な説明】
【００２２】
【図１】図１は、本発明の第１の実施の形態による紙葉類処理装置の外観を示す斜視図である。
【図２】図２は、本発明の第１の実施の形態による紙葉類処理装置の内部構成を示す概略縦断面図である。
【図３】図３は、本発明の第１の実施の形態による紙葉類処理装置の内部に設置される基板の構成の概略を示した図である。
【図４】図４は、本発明の第１の実施の形態の変形例による紙葉類処理装置の外観を示す斜視図である。
【図５】図５は、本発明の第１の実施の形態による紙葉類処理装置の制御ブロック図である。
【図６】図６は、本発明の第１の実施の形態で用いられる駆動部の種類を図示したものである。
【図７】図７は、本発明の第１の実施の形態による紙葉類処理システムの一例を示す概略構成図である。
【図８】図８は、本発明の第１の実施の形態による紙葉類処理システムの別の例を示す概略構成図である。
【図９】図９は、本発明の第１の実施の形態の別の変形例による紙葉類処理装置の構成を示す概略縦断面図である。
【図１０】図１０は、本発明の第２の実施の形態による紙葉類処理装置の制御ブロック図である。
【図１１】図１１は、本発明の第２の実施の形態による紙葉類処理装置の外観を示す斜視図である。
【発明を実施するための形態】
【００２３】
第１の実施の形態
《構成》
以下、本発明に係る紙葉類処理装置、紙葉類処理システム及び紙葉類処理方法の実施の形態について、図面を参照して説明する。ここで、図１乃至図９は本発明の実施の形態を説明するための図である。
【００２４】
なお、本願において「紙葉類処理システム」は「紙葉類処理装置１００」単体を含む概念として用いられている。このため、本願において「紙葉類処理システム」という文言を用いた場合には、紙葉類処理装置１００そのものを意味することもあれば、紙葉類処理装置１００とそれ以外の装置とを組み合わせたものを意味することもある。なお、本願における「紙葉類」とは、紙幣、小切手、商品券、帳票等のことを意味するが、代表的なものとしては紙幣を意味する。
【００２５】
図１及び図２に示すように、本実施の形態の紙葉類処理装置１００は、筐体１と、筐体１に設けられて複数の紙葉類を受け入れる受入部１１と、受入部１１で受け入れられた紙葉類を１枚ずつ筐体１内に取り込む取込部１０と、を備えている。図２に示すように、本実施の形態の紙葉類処理装置１００は、取込部１０から筐体１内に取り込まれた紙葉類を一枚ずつ搬送する搬送部７０と、搬送部７０で搬送されている紙葉類を識別して計数する識別部５５と、後述するスタッカ６０（６０ａ−６０ｈ）に集積されない紙葉類をリジェクトする複数のリジェクト部６５（６５ａ，６５ｂ）と、を備えている。なお、本実施の形態の識別部５５が紙幣を識別する際には、例えば、紙幣の金種、正損、表裏、刷種（新旧等）、方向、真偽、紙幣の記番号等を識別する。なお、識別部５５は、搬送路を案内されている紙葉類の画像を読み取る画像読取センサ３４を有しており、この画像読取センサ３４によって読み取られた画像データに基づいて、例えば、紙幣の金種、正損、表裏、刷種、方向、真偽、紙幣の記番号等を識別する。通貨の内容としては、例えば、日本円、ＵＳドル、ユーロ、中国元、インドルピー等を挙げることができる。また、紙幣の金種としては、例えば１万円、１０００円、１００ドル、１０ドル等を挙げることができる。
【００２６】
上述した取込部１０は、図２に示すように、紙葉類を繰り出すフィードローラ１０ａと、フィードローラ１０ａに対向して設けられたゲートローラ（逆転ローラ）１０ｂと、受入部１１に収容された紙葉類をフィードローラ１０ａに向かって蹴り出すキッカローラ１０ｃ，１０ｄと、を有している。また、搬送部７０は、紙葉類を案内する搬送路と、この紙葉類に駆動力を付与する搬送ローラ及び／又は搬送ベルトと、搬送ローラ及び／又は搬送ベルトを駆動する駆動部７１（図５参照）とを有している。
【００２７】
駆動部７１は、図６に示すように、受入部１１、識別部５５、リジェクト部６５等を含む上部ユニット１０５（図２参照）内に設けられ、当該上部ユニット１０５内における搬送ローラ（フィードローラ、ゲートローラ及びキッカローラを含む。）及び／又は搬送ベルト、羽根車６６ａ，６６ｂ等を駆動する上部駆動部１０５ａと、スタッカ６０ａ−６０ｄを含む第一スタッカユニット１１０（図２参照）内に設けられ、当該第一スタッカユニット１１０内における搬送ローラ及び／又は搬送ベルト、羽根車６１ａ−６１ｄ等を駆動する第一下部駆動部１１０ａと、スタッカ６０ｅ−６０ｈを含む第二スタッカユニット１２０（図２参照）内に設けられ、当該第二スタッカユニット１２０内における搬送ローラ及び／又は搬送ベルト、羽根車６１ｅ−６１ｈ等を駆動する第二下部駆動部１２０ａとを有している。
【００２８】
紙葉類の正損の内容は、外部装置で用いられるのに適した第一分類と、外部装置以外で用いられるのに適した第二分類と、利用されることに適さない第三分類とを含むものとなっていてもよい。紙葉類が紙幣である場合には、紙幣の正損は、例えば、銀行等の金融機関に設けられたＡＴＭ等の紙幣処理装置（外部装置の一種）で利用できず、銀行等の金融機関の受付でも利用できない紙幣（いわゆる「UNFIT」紙幣：上記の第三分類に相当する。）と、銀行等の金融機関に設けられたＡＴＭでは利用できないが、銀行等の金融機関の受付では利用できる紙幣（いわゆる「Teller-FIT」紙幣：上記の第二分類に相当する。）、銀行等の金融機関に設けられたＡＴＭでも銀行等の金融機関の受付でも利用できる紙幣（いわゆる「ATM-FIT」紙幣：上記の第一分類に相当する）の３つに分類することができてもよい。また、このような態様に限られることはなく、紙葉類の正損の内容を正券と損券の２つに分類してもよい。
【００２９】
図１及び図２に示すように、リジェクト部６５は、下方側に配置された第一リジェクト部６５ａと、上方側に配置された第二リジェクト部６５ｂとを有している。例えば、第一リジェクト部６５ａには、識別異常や搬送異常であると判断された紙葉類が集積され、第二リジェクト部６５ｂには、識別部５５の真偽判定によって偽券であると判断された紙葉類が集積されてもよい。搬送異常とは、搬送部７０によって紙葉類を搬送する際の異常を意味している。このような搬送異常としては、例えば、紙葉類が斜めに搬送されている場合（斜行）や、複数の紙葉類が重なって搬送されている場合（重送）や、複数の紙葉類が所定の間隔を隔てないで搬送されている場合（連鎖）等を挙げることができる。他方、識別異常とは、識別部５５によって識別された情報が後述するメイン記憶部５６等の記憶部に予め記憶された識別用情報と一致しない場合等を挙げることができる。
【００３０】
図２に示すように、搬送部７０の搬送路には、紙葉類をリジェクト部６５へと案内するための分岐部材４６（４６ａ，４６ｂ）が設けられている。より具体的には、紙葉類を第一リジェクト部６５ａへと案内するための分岐部材４６ａと、紙葉類を第二リジェクト部６５ｂへと案内するための分岐部材４６ｂとが設けられている。
【００３１】
また、分岐部材４６ａと第一リジェクト部６５ａとの間には、分岐部材４６ａによって案内された紙葉類が正常に第一リジェクト部６５ａへと案内されているかを検知するセンサ３５ａが設けられている。同様に、分岐部材４６ｂと第二リジェクト部６５ｂとの間には、分岐部材４６ｂによって案内された紙葉類が正常に第二リジェクト部６５ｂへと案内されているかを検知するセンサ３５ｂが設けられている。
【００３２】
図２に示すように、スタッカ６０ａ−６０ｄの上部には、第一スタッカユニット１１０内の搬送部７０を覆うようにして第一カバー４９ａが設けられている。同様に、スタッカ６０ｅ−６０ｈの上部には、第二スタッカユニット１２０内の搬送部７０を覆うようにして第二カバー４９ｂが設けられている。
【００３３】
また、図２に示すように、本実施の形態の紙葉類処理装置１００は、識別部５５で識別された紙葉類を集積する複数（図１及び図２に示す態様では８個）のスタッカ６０（６０ａ−６０ｈ）を備えている。このスタッカ６０ａ−６０ｈは、前面が開口しており、オペレータはスタッカ６０ａ−６０ｈ内の紙葉類を自由に取り出すことができる。なお、図１及び図２では一例として８個のスタッカ６０ａ−６０ｈが設けられている態様を用いて説明するが、スタッカ６０ａ−６０ｈの個数は８個未満であってもよいし８個よりも多くてもよい。また、本実施の形態では、前面が開口したスタッカ６０ａ−６０ｈを用いて説明しているが、これに限られることはなく、開口部を有さず筐体１内に完全に収容され、筐体１を開けないとアクセスできないスタッカを採用することもできる。なお、本実施の形態のスタッカ６０ａ−６０ｈは特許請求の範囲の「集積部」に含まれている。
【００３４】
図１に示すように、筐体１の正面側には、例えばタッチパネル等からなり所定の情報を表示するとともに、所定の情報を入力することができる操作表示部５９が設けられている。この操作表示部５９は、操作部及び表示部の両方の役割を果たしているが、このような態様に限られることはない。つまり、操作部と表示部とが別体となっていてもよい。また、本実施の形態では、筐体１の正面側には、操作表示部５９に隣接してボタン式操作部５８も設けられている。
【００３５】
図２に示すように、搬送部７０には、搬送部７０を通過する紙葉類を検知したり、紙葉類の有無を検知したりするための複数のセンサ３３が設けられている。なお、受入部１１に設けられたセンサ３３は、受入部１１内に紙葉類があるか否かを判断するために用いられる。また、分岐部材４６ｂとスタッカ６０ａとの間に設けられたセンサ３３は、リジェクト部６５に案内されなかった紙葉類が、スタッカ６０ａ−６０ｈに向かって正常に案内されているかを検知するために用いられる。
【００３６】
図２に示すように、第一スタッカユニット１１０及び第二スタッカユニット１２０内の搬送路には、紙葉類が正常に搬送されているかを検知するセンサ３１（３１ａ−３１ｇ）や、紙葉類の案内されるスタッカ６０ａ−６０ｈを切り換える分岐部材４１（４１ａ−４１ｇ）が設けられている。また、これら分岐部材４１ａ−４１ｇの下流側には、分岐部材４１ａ−４１ｇによって分岐された紙葉類が正常にスタッカ６０ａ−６０ｈに案内されているかを検知するカウントセンサ３２（３２ａ−３２ｈ）が設けられている。
【００３７】
また、図１に示すように、筐体１には、スタッカ６０ａ−６０ｈの各々に対応して、各スタッカ６０ａ−６０ｈに集積されている紙葉類の種類（つまり後述する分類用種別）や枚数を表示するための個別表示部５１ａ−５１ｈが設けられている。この個別表示部５１ａ−５１ｈは、ＬＣＤ等のディスプレイでもよいし、印刷された文字と発光素子との組み合わせでもよい。なお、個別表示部５１ａ−５１ｈに表示される紙葉類の種類は、例えば、通貨の種類、紙幣の金種、紙幣の刷種、紙葉類の正損、紙葉類の表裏、紙葉類の方向等である。紙葉類の方向は、表前、表後、裏前及び裏後の４方向ある。具体的には、紙葉類が紙幣である場合には、肖像が上でかつ肖像の頭の方から取り込まれる方向が表前、肖像が上でかつ頭と反対の方から取り込まれる方向が表後、肖像が下でかつ肖像の頭の方から取り込まれる方向が裏前、肖像が下でかつ頭と反対の方から取り込まれる方向が裏後となる。ちなみに、本実施の形態では、紙幣において肖像がある方を表面（おもてめん）と呼び、表面（おもてめん）と逆側の面を裏面と呼ぶ。
【００３８】
また、図２に示すように、スタッカ６０ａ−６０ｈ内には、それぞれ、スタッカ６０ａ−６０ｈ内の紙葉類の収納状況を検知する残留検知センサ３６（３６ａ−３６ｈ）が設けられている。
【００３９】
本実施の形態のスタッカ６０ａ−６０ｈでは、識別部５５で識別された分類用種別の内容に基づいて紙葉類を集積できるようになっている。ここで、分類用種別とは、紙葉類を分類する際に用いられる種別であり、例えば、通貨の種類、紙幣の金種、紙幣の刷種、紙葉類の正損、紙葉類の表裏、紙葉類の方向等である。なお、操作表示部５９及び／又は例えば紙葉類処理装置１００を管理する管理装置等の外部装置５００（図７及び図８参照）に設けられた外部表示部５４０等には、各スタッカ６０ａ−６０ｈに集積されている又は集積される予定の紙葉類の分類用種別の内容が表示されてもよい。また、上述したように、図１に示す個別表示部５１ａ−５１ｈが、各スタッカ６０ａ−６０ｈに集積されている又は集積される予定の紙葉類の分類用種別の内容を表示してもよい。ちなみに、本実施の形態において外部装置５００とは、対象となっている装置以外の装置のことを意味し、例えば紙葉類処理装置１００から見た場合には紙葉類処理装置１００以外のあらゆる装置が外部装置５００に該当する。
【００４０】
また、本実施の形態の紙葉類処理装置１００は、図５に示すように、スタッカ６０ａ−６０ｈに集積される紙葉類の上限枚数を分類用種別の内容に紐付けて記憶したメイン記憶部５６と、メイン記憶部５６から各スタッカ６０ａ−６０ｈで集積される紙葉類の分類用種別の内容に対応した紙葉類の上限枚数を読み出して、当該スタッカ６０ａ−６０ｈで集積される紙葉類の上限枚数を設定するメイン制御部５０も備えている。なお、メイン記憶部５６は特許請求の範囲に記載された「記憶部」に含まれている。また、メイン制御部５０は特許請求の範囲に記載された「制御部」に含まれている。
【００４１】
ところで、スタッカ６０ａ−６０ｈに集積される紙葉類の上限枚数を分類用種別の内容に紐付けて記憶するための記憶部は外部装置５００に設けられていてもよい。また、本実施の形態ではメイン制御部５０が紙葉類処理装置１００内に設けられている態様を用いて説明するが、これに限られることはなく、紙葉類処理装置１００の制御を行う制御部が外部装置５００に設けられていてもよい。
【００４２】
一例としては、紙葉類処理装置１００が、識別部５５及びスタッカ６０ａ−６０ｈを有しており、外部装置５００が、スタッカ６０ａ−６０ｈに集積される紙葉類の上限枚数を紙葉類の分類用種別の内容に紐付けて記憶した外部記憶部５６０と、外部記憶部５６０からスタッカ６０ａ−６０ｈで集積される紙葉類の分類用種別の内容に対応した紙葉類の上限枚数を読み出して、当該スタッカ６０ａ−６０ｈで集積される紙葉類の上限枚数を設定する外部制御部５５０とを有してもよい（図７及び図８参照）。この際、外部記憶部５６０と外部制御部５５０とは同じ外部装置５００に設けられていてもよいが、別々の外部装置５００に設けられていてもよい。なお、外部記憶部５６０は特許請求の範囲に記載された「記憶部」に含まれている。また、外部制御部５５０は特許請求の範囲に記載された「制御部」に含まれている。
【００４３】
また、別の例としては、紙葉類処理装置１００が、識別部５５、スタッカ６０ａ−６０ｈ及びメイン制御部５０を有しており、外部装置５００が、スタッカ６０ａ−６０ｈに集積される紙葉類の上限枚数を紙葉類の分類用種別の内容に紐付けて記憶した外部記憶部５６０を有していてもよい。なお、この際、メイン制御部５０は、外部記憶部５６０からスタッカ６０ａ−６０ｈで集積される紙葉類の分類用種別の内容に対応した紙葉類の上限枚数を読み出して、当該スタッカ６０ａ−６０ｈで集積される紙葉類の上限枚数を設定することとなる。
【００４４】
また、さらに別の例としては、紙葉類処理装置１００が、識別部５５、スタッカ６０ａ−６０ｈ及びメイン記憶部５６を有しており、外部装置５００が、メイン記憶部５６からスタッカ６０ａ−６０ｈで集積される紙葉類の分類用種別の内容に対応した紙葉類の上限枚数を読み出して、当該スタッカ６０ａ−６０ｈで集積される紙葉類の上限枚数を設定する外部制御部５５０を有してもよい。
【００４５】
ところで、外部装置５００は、図７に示すように、一つの紙葉類処理装置１００に対して一つだけ設けられてもよいが、図８に示すように、複数の紙葉類処理装置１００が設けられた態様において、複数の紙葉類処理装置１００に対して一つの外部装置５００が設けられていてもよい。
【００４６】
図３は、本実施の形態による紙葉類処理装置１００において、図４に示すように１６個のスタッカ６０ａ−６０ｐが設けられている態様を例に取り、紙葉類処理装置１００の内部に設置される基板の構成の概略を示したものである。図３に示す態様では、駆動部７１は、上述した上部駆動部１０５ａ、第一下部駆動部１１０ａ及び第二下部駆動部１２０ａの他に、スタッカ６０ｉ−６０ｌを含む第三スタッカユニット１３０（図４参照）内に設けられ、当該第三スタッカユニット１３０内における搬送ローラ及び／又は搬送ベルト、羽根車６１ｉ−６１ｌ等を駆動する第三下部駆動部１３０ａ（図６参照）と、スタッカ６０ｍ−６０ｐを含む第四スタッカユニット１４０（図４参照）内に設けられ、当該第四スタッカユニット１４０内における搬送ローラ及び／又は搬送ベルト、羽根車６１ｍ−６１ｎ等を駆動する第四下部駆動部１４０ａ（図６参照）とを有している。
【００４７】
また、図３に示す態様では、第一スタッカユニット１１０及び第二スタッカユニット１２０に対応した電源１１９が第一スタッカユニット１１０に設けられ、第三スタッカユニット１３０及び第四スタッカユニット１４０に対応した電源１３９が第三スタッカユニット１３０に設けられている。
【００４８】
なお、図４に示すスタッカ６０ｉ−６０ｌの上部には、第三スタッカユニット１３０内の搬送部７０を覆うようにして第三カバーが設けられ、スタッカ６０ｍ−６０ｐの上部には、第四スタッカユニット１４０内の搬送部７０を覆うようにして第四カバーが設けられてもよい。
【００４９】
図３に示すように、本実施の形態の紙葉類処理装置１００は、ＣＰＵを含むメイン基板１０１と、メイン基板１０１に接続され、第一スタッカユニット１１０内に設けられた第一スタッカユニット駆動基板１１２と、メイン基板１０１に接続され、第二スタッカユニット１２０内に設けられた第二スタッカユニット駆動基板１２２と、メイン基板１０１にスタッカ基板１３１を介して接続され、第三スタッカユニット１３０内に設けられた第三スタッカユニット駆動基板１３２と、メイン基板１０１にスタッカ基板１３１を介して接続され、第四スタッカユニット１４０内に設けられた第四スタッカユニット駆動基板１４２と、を備えている。なお、スタッカ基板１３１は第三スタッカユニット１３０内に設けられるとともに、ＣＰＵを含んでいる。
【００５０】
第一スタッカユニット駆動基板１１２はメイン基板１０１からの指令を受けて第一下部駆動部１１０ａ等を駆動し、第二スタッカユニット駆動基板１２２はメイン基板１０１からの指令を受けて第二下部駆動部１２０ａ等を駆動し、第三スタッカユニット駆動基板１３２はスタッカ基板１３１（又はメイン基板１０１）からの指令を受けて第三下部駆動部１３０ａ等を駆動し、第四スタッカユニット駆動基板１４２はスタッカ基板１３１（又はメイン基板１０１）からの指令を受けて第四下部駆動部１４０ａ等を駆動するようになっている。
【００５１】
なお、スタッカ基板１３１は、スタッカ６０ｉ−６０ｌ内及びスタッカ６０ｍ−６０ｐ内に集積されている紙葉類の枚数、紙葉類の分類用種別等の様々な情報を記憶するスタッカ記憶部１３６（図５参照）と、第三スタッカユニット駆動基板１３２、第四スタッカユニット駆動基板１４２等を制御するスタッカ制御部１３５（図５参照）とを有している。スタッカ記憶部１３６は特許請求の範囲に記載された「記憶部」に含まれ、スタッカ制御部１３５は特許請求の範囲に記載された「制御部」に含まれることとなる。
【００５２】
スタッカ基板１３１はメイン基板１０１からの指令を受け、当該指令に基づいて第三スタッカユニット駆動基板１３２及び第四スタッカユニット駆動基板１４２に対して指令を送信するようになっている。また、スタッカ６０ｉ−６０ｌ内及びスタッカ６０ｍ−６０ｐ内に集積されている紙葉類の枚数、紙葉類の分類用種別等の情報は、スタッカ基板１３１で取得され、当該スタッカ基板１３１からメイン基板１０１へ送信されることとなる。
【００５３】
以下では、「記憶部５６，１３６，５６０」という用語は、メイン記憶部５６、スタッカ記憶部１３６及び外部記憶部５６０のいずれか１つ以上を示すものとして用いられ、「制御部５０，１３５，５５０」という用語は、メイン制御部５０、スタッカ制御部１３５及び外部制御部５５０のいずれか１つ以上を示すものとして用いられる。また、本実施の形態では以下において、特に断りがない限り、８個のスタッカ６０ａ−６０ｈを有する紙葉類処理装置（図１及び図２参照）を例に取って説明する。
【００５４】
本実施の形態では、紙葉類の分類用種別の内容に対応するスタッカ６０ａ−６０ｈで集積される紙葉類の上限枚数を自由に設定することができる。このため、ある一つのスタッカ６０ａ−６０ｈで集積される紙葉類の分類用種別の内容が、別の一つのスタッカ６０ａ−６０ｈで集積される紙葉類の分類用種別の内容と異なる場合には、ある一つのスタッカ６０ａ−６０ｈで集積される紙葉類の上限枚数を、別の一つのスタッカ６０ａ−６０ｈで集積される紙葉類の上限枚数と異なる枚数とすることもできる。
【００５５】
一例を示すと、記憶部５６，１３６，５６０がスタッカ６０ａ−６０ｈに集積される紙葉類の上限枚数を、（複数ある分類用種別のうちの１つである）第１の分類用種別の複数の内容のそれぞれに紐付けて記憶している。そして、第１の分類用種別の異なる内容に基づいて紙葉類を集積する場合は、当該第１の分類用種別の内容に基づいて上限枚数が設定されることになる。ところで、異なる内容の第１の分類用種別に基づいて紙葉類を集積する少なくとも２つ以上のスタッカ６０ａ−６０ｈに対して、（複数ある分類用種別のうちの１つである）第２の分類用種別に関して同じ内容が設定されることもある。なお、一例として、第１の分類用種別は紙幣の正損であり、第２の分類用種別は紙幣の金種である。
【００５６】
また、ある一つのスタッカ６０ａ−６０ｈで集積される紙葉類の分類用種別の内容を変更した場合は、当該一つのスタッカ６０ａ−６０ｈで集積される紙葉類の上限枚数を、新たに設定された、変更後の分類用種別に基づいて設定し直すこともできる。
【００５７】
制御部５０，１３５，５５０は、識別部５５で識別された紙葉類の分類用種別の内容に基づいて、記憶部５６，１３６，５６０から当該紙葉類の分類用種別の内容に対応した紙葉類の上限枚数を読み出して、当該紙葉類が搬送されたスタッカ６０ａ−６０ｈで集積される紙葉類の上限枚数を設定するようにしてもよい。一例としては、制御部５０，１３５，５５０は、識別部５５で識別された紙葉類の分類用種別の内容に基づいて、当該分類用種別の内容の紙葉類を集積するためのスタッカ６０ａ−６０ｈが既に決定されているか否かを判断し、当該分類用種別の内容の紙葉類を集積するためのスタッカ６０ａ−６０ｈが既に決定されている場合には当該スタッカ６０ａ−６０ｈに当該紙葉類を搬送する。他方、当該分類用種別の内容の紙葉類を集積するためのスタッカ６０ａ−６０ｈが未だ決定されていない場合には、当該紙葉類が搬送されるスタッカ６０ａ−６０ｈを決定するとともに、記憶部５６，１３６，５６０から当該紙葉類の分類用種別の内容に対応した紙葉類の上限枚数を読み出して、当該紙葉類が搬送されたスタッカ６０ａ−６０ｈで集積される紙葉類の上限枚数を設定するようにしてもよい。なお、識別部５５で識別された紙葉類の分類用種別の内容に基づいて、当該紙葉類の搬送先を決定する場合に関しては、後述する「自動決定モード」又は「動的決定モード」が用いられることとなる。
【００５８】
また、このような態様に限られることはなく、スタッカ６０ａ−６０ｈで集積される紙葉類の分類用種別の内容が予め設定されていてもよい（この点に関しては、後述する「指定モード」参照）。この場合には、制御部５０，１３５，５５０は、予め設定された分類用種別の内容に基づいて、記憶部５６，１３６，５６０から当該紙葉類の分類用種別の内容に対応した紙葉類の上限枚数を読み出して、当該スタッカ６０ａ−６０ｈで集積される紙葉類の上限枚数を設定してもよい。
【００５９】
また、本実施の形態の紙葉類処理装置１００は、スタッカ６０ａ−６０ｈに集積される紙葉類の上限枚数を変更するための変更モードに切替可能となっていてもよい。上限枚数は、紙葉類の分類用種別の内容に紐付けられて記憶部５６，１３６，５６０で記憶されている。この変更モードに切り替わることで、分類用種別の内容、すなわち、通貨の種類、紙幣の金種、紙幣の刷種、紙葉類の正損、紙葉類の表裏及び紙葉類の方向のうちの一つ以上の各々に関して、その内容毎にスタッカ６０ａ−６０ｈに集積される紙葉類の上限枚数を設定することができる。ここで、一つのスタッカ６０ａ−６０ｈに対し、異なる分類用種別のそれぞれについて分類用種別の内容が設定され、設定された分類用種別の内容に紐付けられた上限枚数が異なる場合が考えられる。このような場合は、優先順位の高い分類用種別に紐付けられた上限枚数を設定したり、最も大きい上限枚数を設定したり、最も小さい上限枚数を設定したりすることで、上限枚数を一意に決定することができる。あるいは、操作者により選択された分類用種別に紐付けられた上限枚数を設定するようにしてもよい。
【００６０】
ここで、スタッカ６０ａ−６０ｈに集積する紙葉類の割当てモードについて説明する。割当てモードとは、紙葉類をスタッカ６０ａ−６０ｈに割当てるためのモードであり、指定モード、自動決定モード、動的決定モード、混合モード及び指定外モードがある。スタッカ６０ａ−６０ｈには、通貨の種類、紙幣の金種、紙幣の刷種、紙葉類の正損、紙葉類の表裏及び紙葉類の方向の各々について、指定モード、自動決定モード、動的決定モード、混合モード及び指定外モードのいずれかを設定することができる。これらの優先順位は、指定モード、自動決定モード、動的決定モード、混合モード及び指定外モードの順で下がり、以下の表１で示すような優先順位となっている（数値が大きいものが数値が小さいものと比較して優先される。）。
【表１】
2016085595.tif 000003
【００６１】
指定モードとは、スタッカ６０ａ−６０ｈに集積される紙葉類の分類用種別の内容を予め指定するモードである。例えば、通貨を指定モードで設定する場合は、ＵＳドル、円、ユーロ等のうちから１つの通貨が操作表示部５９等から指定される。また、金種を指定モードで設定する場合には、その前に、通貨を指定モードで設定して、設定するスタッカ６０ａ−６０ｈにどの通貨を集積するか指定する必要がある。例えば、金種を指定モードで設定して１００ドルを指定する場合は、その前に、通貨を指定モードで設定してＵＳドルを指定することになる。あるいは、指定モードで金種が設定された場合は、設定された金種の属する通貨が自動的に設定されるようにしてもよい。
【００６２】
次に、紙葉類を処理している間に、識別部５５の識別結果に基づいてスタッカ６０ａ−６０ｈに集積される紙葉類を割り当てる第１自動決定モード、第２自動決定モード、第３自動決定モード、・・・、第ｎ自動決定モードについて説明する。第１自動決定モードは、１取引分の紙葉類の処理において、識別部５５が１番目に識別した分類用種別の内容を、対応するスタッカ６０ａ−６０ｈに集積する紙葉類の内容とするものである。例えば、スタッカ６０ａに対して、通貨に第１自動決定モードが設定され、識別部５５が１番目に識別した紙幣がユーロ紙幣であった場合、スタッカ６０ａにはユーロが割り当てられ、以後、ユーロ紙幣と識別された紙幣はスタッカ６０ａに搬送され、集積される。
【００６３】
また、スタッカ６０ａに対して、通貨に指定モードが設定されてＵＳドルが指定され、金種に第１自動決定モードが設定されている場合、識別部５５が１番目に識別したＵＳドル紙幣の金種が、スタッカ６０ａに割り当てられる。例えば識別部５５が１番目に識別したＵＳドル紙幣が１００ドルであった場合、スタッカ６０ａには１００ドルが割り当てられる。
【００６４】
第２自動決定モードは、１取引分の紙葉類の処理において、識別部５５が２番目に識別した分類用種別の内容を、対応するスタッカ６０ａ−６０ｈに集積する紙葉類の内容とするものである。例えば、スタッカ６０ａに対して通貨に第１自動決定モードが設定され、スタッカ６０ｂに対して通貨に第２自動決定モードが設定され、識別部５５が１番目に識別した紙幣がユーロ紙幣、２番目に識別した紙幣がＵＳドル紙幣であった場合、スタッカ６０ａには通貨としてユーロが割り当てられ、スタッカ６０ｂには通貨としてＵＳドルが割り当てられる。
【００６５】
第３自動決定モードは、１取引分の紙葉類の処理において、識別部５５が３番目に識別した分類用種別の内容を、対応するスタッカ６０ａ−６０ｈに集積する紙葉類の内容とするものである。さらに、第４自動決定モード、第５自動決定モード、・・・、第ｎ自動決定モード等が設定できるようにしてもよい。
【００６６】
表１で示すように、自動決定モードは指定モードの次に優先度が高い。したがって、指定モードで指定されている分類用種別の内容がある場合は、これを除いた分類用種別の内容が、自動決定モードで決定される。例えば、スタッカ６０ａに対して通貨に指定モードが設定されてＵＳドルが指定され、スタッカ６０ｂに対して通貨に第１自動決定モードが設定され、識別部５５が最初に識別した紙幣がＵＳドル紙幣であった場合、ＵＳドル紙幣はスタッカ６０ａに搬送される。そして、ＵＳドル紙幣以外の通貨のうち、識別部５５が１番目に識別した通貨が、スタッカ６０ｂで集積される通貨として決定される。
【００６７】
なお、自動決定モードは複数のスタッカ６０ａ−６０ｈに対して設定することができる。例えば、スタッカ６０ａ及びスタッカ６０ｂに対して、通貨に第１自動決定モードが設定され、識別部５５が１番目に識別した紙幣がユーロ紙幣であった場合、スタッカ６０ａ及びスタッカ６０ｂに集積される通貨としてユーロが割り当てられる。スタッカ６０ａ−６０ｈに対して、自動決定モードにより割り当てられた分類用種別の内容は、１取引分の紙幣の処理が終了した際にクリアされてもよい。
【００６８】
次に、動的決定モードについて説明する。動的決定モードは、紙葉類を処理している間に、識別部５５の識別結果に基づいてスタッカ６０ａ−６０ｈに集積される紙葉類を割り当てるモードであるが、自動決定モードと異なり、何番目の紙葉類であっても割り当て可能となっている。識別した紙葉類の種別が、どのスタッカ６０ａ−６０ｈにも割り当てられておらず、割当てが決定していないスタッカ６０ａ−６０ｈのうち、動的決定モードが設定されているスタッカ６０ａ−６０ｈがある場合、そのスタッカ６０ａ−６０ｈに、識別した分類用種別の内容が割り当てられる。例えば、スタッカ６０ｈに対して通貨に動的決定モードが設定され、スタッカ６０ａ−６０ｇで集積される通貨にドル及びユーロが割り当てられている状態で識別部５５がインドルビーを識別した場合、スタッカ６０ｈで集積される通貨にインドルビーが割り当てられる。
【００６９】
動的決定モードには、第１動的決定モード、第２動的決定モード（いわゆるダイナミックスタッカ）、第３動的決定モード（いわゆるダイナミックオール）がある。
【００７０】
第１動的決定モードでは、スタッカ６０ａ−６０ｈに集積される分類用種別の内容に関する情報が、１取引分の紙葉類の処理が終了するまで保持され、１取引分の紙葉類の処理が終了した時にクリアされる。第２動的決定モードでは、スタッカ６０ａ−６０ｈに集積される分類用種別に関する情報が、１取引分の紙葉類の処理が終了した時又は第２動的決定モードが設定された当該スタッカ６０ａ−６０ｈ（１つのスタッカ６０ａ−６０ｈ）から全ての紙葉類が抜き取られた時にクリアされる。第３動的決定モードでは、スタッカ６０ａ−６０ｈに集積される分類用種別に関する情報が、１取引分の紙葉類の処理が終了した時又は第３動的決定モードが設定された全てのスタッカ６０ａ−６０ｈから全ての紙葉類が抜き取られた時にクリアされる。例えば、スタッカ６０ｆ−６５ｈに対して通貨に第３動的決定モードが設定され、スタッカ６０ａ−６５ｅに対して通貨にＵＳドルが割り当てられている状態で、識別部５５がユーロ紙幣を識別した場合、スタッカ６０ｆ−６５ｈで集積される通貨にユーロが割り当てられる。これら複数のスタッカ６０ｆ−６５ｈに割り当てられた分類用種別の内容は、１取引分の紙葉類の処理が終了した時又はこれら複数のスタッカ６０ｆ−６５ｈから全ての紙葉類が抜き取られた時にクリアされる。
【００７１】
次に、混合モードについて説明する。混合モードは、分類用種別の内容を問わず紙葉類を集積するモードである。混合モードは動的決定モードよりも優先度が低い。したがって、混合モードが設定されたスタッカ６０ａ−６０ｈには、指定モード、自動決定モード及び動的決定モードの一つ以上によって決定された分類用種別の内容以外のものが混合して集積される。
【００７２】
次に、指定外モードについて説明する。指定外モードは優先度が最も低く、指定外モードが設定されたスタッカ６０ａ−６０ｈは、他のスタッカ６０ａ−６０ｈに集積されない紙葉類が集積される。
【００７３】
ところで、図５に示すように、メイン制御部５０には、取込部１０、駆動部７１、メイン記憶部５６、識別部５５、分岐部材４１，４６、リジェクト部６５、センサ３１−３４，３６、操作表示部５９、ボタン式操作部５８、スタッカ制御部１３５、スタッカ記憶部１３６等が接続されている。そして、メイン制御部５０は当該メイン制御部５０に接続された各構成要素から情報を取得したり、各構成要素に指令を与えたりするようになっている。
【００７４】
上述した態様とは異なり、図９に示すように、搬送部７０で搬送された結束用の複数の紙葉類を集積するための複数の帯封一時保留部２１０（２１０ａ−２１０ｃ）と、帯封一時保留部２１０ａ−２１０ｃに集積された紙葉類を結束帯で結束して紙葉類束を生成するための結束部２５０と、を有する紙葉類結束ユニット２００が設けられてもよい。この場合には、当該帯封一時保留部２１０ａ−２１０も特許請求の範囲の「集積部」に含まれることとなる。この紙葉類結束ユニット２００は、帯封一時保留部２１０ａ−２１０ｃから結束部２５０に結束用の紙葉類を搬送するための結束前搬送部２２０と、結束部２５０から紙葉類束を搬送するための結束後搬送部２６０と、結束後搬送部２６０で搬送される結束された紙葉類束を収容する紙葉類束集積部２７０も有している。なお、紙葉類束集積部２７０に収容された紙葉類束は、当該紙葉類束集積部２７０によって、束放出部（図示せず）から放出することができる。なお、図９に示す態様では、帯封一時保留部２１０ａ−２１０ｃに集積された紙葉類を、結束前搬送部２２０により結束部２５０に搬送する構成としたが、このような態様に限られることはなく、帯封一時保留部２１０ａ−２１０ｃに集積された状態の紙葉類を、そのまま結束部で結束する態様としてもよい。
【００７５】
また、図９に示すように、本実施の形態の紙葉類処理装置１００は、紙葉類を反転させる紙葉類反転部９１，９５を含んだ紙葉類反転ユニット９０も備えていてもよい。この紙葉類反転部９１，９５は、搬送部７０で紙葉類を短手方向に搬送した場合、搬送されている紙葉類をその短手方向の向きが逆向きになるように表裏反転させる短手反転部９５と、搬送部７０で搬送されている紙葉類をその長手方向の向きが逆向きになるように表裏反転させる長手反転部９１とを有している。なお、これら短手反転部９５及び長手反転部９１で紙葉類を反転させる方法の詳細についてはＷＯ２０１０／０９７９５４号に開示されていることから、詳細な説明は省略する。
【００７６】
《方法》
次に、本実施の形態の紙葉類処理装置１００又は紙葉類処理システムを用いた紙葉類処理方法について説明する。なお、以下では集積部としてスタッカ６０ａ−６０ｈを例に取って説明するが、これに限られることはなく、集積部として上述した帯封一時保留部２１０ａ−２１０ｃ又はスタッカ６０ａ−６０ｈ及び帯封一時保留部２１０ａ−２１０ｃの両方を採用することもできる。
【００７７】
まず、受入部１１に処理の対象となる紙葉類が載置される（図１及び図２参照）。次に、受入部１１に載置された紙葉類が筐体１内に取込部１０によって取り込まれる。このように取込部１０によって取り込まれた紙葉類は搬送部７０で搬送され、識別部５５で識別計数された後で、集積されるべきスタッカ６０ａ−６０ｈへと搬送される。なお、識別部５５で正常に識別されなかった紙葉類はリジェクト紙葉類として例えばリジェクト部６５ａ，６５ｂへと搬送される。
【００７８】
識別部５５で紙葉類が識別される際には、紙葉類の分類用種別の内容、すなわち、通貨の種類、紙幣の金種、紙幣の刷種、紙葉類の正損、紙葉類の表裏及び紙葉類の方向のいずれか１つ以上の内容が識別される。そして、この分類用種別の内容に基づいて、対応するスタッカ６０ａ−６０ｈへ紙葉類が搬送されることとなる。
【００７９】
本実施の形態では、各スタッカ６０ａ−６０ｈに集積される紙葉類の上限枚数は、紙葉類の分類用種別の内容に紐付けて記憶部５６，１３６，５６０で記憶されている。そして、当該記憶部５６，１３６，５６０から、スタッカ６０ａ−６０ｈで集積される紙葉類の分類用種別の内容に対応した紙葉類の上限枚数が読み出されて、当該スタッカ６０ａ−６０ｈで集積される紙葉類の上限枚数が設定されることとなる。
【００８０】
スタッカ６０ａ−６０ｈで分類用種別のどの内容のものが集積されるかは、予め設定されてもよいが（上述した「指定モード」参照）、予め設定されておらず、識別部５５で分類用種別の内容が読み取られた結果に基づいて、識別部５５で識別された紙葉類が搬送されるスタッカ６０ａ−６０ｈが決定されてもよい（上述した「自動決定モード」及び「動的決定モード」参照）。スタッカ６０ａ−６０ｈで分類用種別のどの内容のものが集積されるか予め設定されている場合には、制御部５０，１３５，５５０によって記憶部５６，１３６，５６０から当該紙葉類の分類用種別の内容に対応した紙葉類の上限枚数が読み出されて、当該スタッカ６０ａ−６０ｈで集積される紙葉類の上限枚数が設定される。他方、スタッカ６０ａ−６０ｈで分類用種別のどの内容のものが集積されるか予め設定されていない場合には、識別部５５で識別された紙葉類の分類用種別の内容に基づいて、制御部５０，１３５，５５０によって当該分類用種別の内容の紙葉類を集積するためのスタッカ６０ａ−６０ｈが既に決定されているか否かが判断される。そして、当該分類用種別の内容の紙葉類を集積するためのスタッカ６０ａ−６０ｈが既に決定されている場合には当該スタッカ６０ａ−６０ｈに当該紙葉類が搬送される。他方、当該分類用種別の内容の紙葉類を集積するためのスタッカ６０ａ−６０ｈが未だ決定されていない場合には、制御部５０，１３５，５５０によって当該紙葉類が搬送されるスタッカ６０ａ−６０ｈが決定されるとともに、記憶部５６，１３６，５６０から当該紙葉類の分類用種別の内容に対応した紙葉類の上限枚数が読み出されて、当該紙葉類が搬送されたスタッカ６０ａ−６０ｈで集積される紙葉類の上限枚数が設定される。
【００８１】
ここで、分類用種別の一つである金種に関して「指定モード」が採用され、分類用種別一つである正損に関して「自動決定モード」が採用された場合を一例として挙げて説明する。なお、紙葉類の正損の内容が正券と損券の２つに分類される態様を用いて説明する。より具体的な例として、スタッカ６０ａ−６０ｈで集積される紙葉類の金種に対して「指定モード」で５ユーロが指定され、スタッカ６０ａ−６０ｄで集積される紙葉類の正損に対して第１自動決定モードが採用され、スタッカ６０ｅ−６０ｈで集積される紙葉類の正損に対して第２自動決定モードが採用された場合を挙げる。スタッカ６０ａ−６０ｈの正損に対しては、具体的な内容が設定されていない状態である。仮に５ユーロ紙幣に関して、５ユーロ紙幣の正券が１番目に流れ、５ユーロ紙幣の損券が２番目以降に流れた場合には、スタッカ６０ａ−６０ｄの正損の内容として正券が設定されてスタッカ６０ａ−６０ｄには５ユーロの正券が集積され、スタッカ６０ｅ−６０ｈの正損の内容として損券が設定されてスタッカ６０ｅ−６０ｈには５ユーロの損券が集積されることになる。仮に正券に対して上限枚数５００枚が設定され、かつ、損券に対して上限枚数１００枚が設定される場合には、スタッカ６０ａ−６０ｄに対して上限枚数５００枚が設定され、スタッカ６０ｅ−６０ｈに対して上限枚数１００枚が設定されることになる。また、金種の内容である５ユーロに対しても上限枚数が設定されており、正損に対する上限枚数が金種に対する上限枚数よりも優先される場合にも、各スタッカ６０ａ−６０ｈに対して上述したのと同じ上限枚数が設定されることになる。
【００８２】
《効果》
次に、上述した構成からなる本実施の形態によって達成される効果であって、まだ述べていない効果又はとりわけ重要な効果について説明する。なお、以下でも集積部としてスタッカ６０ａ−６０ｈを例に取って説明するが、これに限られることはなく、集積部として帯封一時保留部２１０ａ−２１０ｃを採用することもでき、この場合にも同様の効果を奏することができる。
【００８３】
本実施の形態によれば、記憶部５６，１３６，５６０から、スタッカ６０ａ−６０ｈで集積される紙葉類の分類用種別（例えば、通貨の種類、紙幣の金種、紙幣の刷種、紙葉類の正損、紙葉類の表裏又は紙葉類の方向）の内容に対応した紙葉類の上限枚数を読み出して、当該スタッカ６０ａ−６０ｈで集積される紙葉類の上限枚数を設定する。このため、紙葉類の分類用種別の内容に応じてスタッカ６０ａ−６０ｈで集積される紙葉類の上限枚数を設定することができる。
【００８４】
また、本実施の形態では、紙葉類の分類用種別の内容に対応するスタッカ６０ａ−６０ｈで集積される紙葉類の上限枚数を自由に設定することができる。このため、複数のスタッカ６０ａ−６０ｈのうちの２つで集積される紙葉類の第１の分類用種別の内容が同じであっても、一方のスタッカ６０ａ−６０ｈで集積される紙葉類の第２の分類用種別の内容が、他方のスタッカ６０ａ−６０ｈで集積される紙葉類の第２の分類用種別の内容と異なる場合には、一方のスタッカ６０ａ−６０ｈで集積される紙葉類の上限枚数を、他方のスタッカ６０ａ−６０ｈで集積される紙葉類の上限枚数と異なる枚数とすることもできる。
【００８５】
また、本実施の形態において、紙葉類を処理している間に識別部５５で識別された紙葉類の分類用種別の内容に基づいて、記憶部５６，１３６，５６０から当該紙葉類の分類用種別の内容に対応した紙葉類の上限枚数を読み出して、当該紙葉類が搬送されたスタッカ６０ａ−６０ｈで集積される紙葉類の上限枚数を設定する場合には、実際に取引に含まれていた紙葉類の分類用種別の内容に応じて、当該分類用種別の内容に対応する上限枚数を所定のスタッカ６０ａ−６０ｈに設定することができる。この態様によれば、一枚も紙葉類が集積されないスタッカ６０ａ−６０ｈが発生することを極力抑えることができるとともに、当該スタッカ６０ａ−６０ｈで集積される紙葉類の上限枚数を分類用種別の内容に応じて設定するができる。なお、この態様は、主に、上述した「自動決定モード」及び「動的決定モード」のように、識別部５５で識別された分類用種別の内容に基づいてスタッカ６０ａ−６０ｈで集積される分類用種別の内容が決定される場合に用いられる。
【００８６】
ちなみに、本実施の形態とは異なり、紙葉類の分類用種別の内容とは全く関係なく各スタッカ６０ａ−６０ｈで集積される紙葉類の枚数を予め定める場合には、上述した「自動決定モード」又は「動的決定モード」において、分類用種別の内容に応じて集積される紙葉類の上限枚数を異ならせて設定することはできない。「自動決定モード」又は「動的決定モード」を採用したときには、各スタッカ６０ａ−６０ｈに集積される分類用種別の内容の紙葉類が予め定まらないためである。これに対して、本実施の形態によれば、「自動決定モード」又は「動的決定モード」を採用したときであっても、分類用種別の内容に応じて集積される紙葉類の上限枚数を異ならせて設定することができる点で有益である。
【００８７】
また、上述したように、スタッカ６０ａ−６０ｈで集積される紙葉類の分類用種別の内容が予め設定されていてもよい（上述した「指定モード」参照）。この場合には、予め設定された分類用種別の内容に基づいて、記憶部５６，１３６，５６０から当該紙葉類の分類用種別の内容に対応した紙葉類の上限枚数が読み出されて、当該スタッカ６０ａ−６０ｈで集積される紙葉類の上限枚数が設定されることとなる。このような態様によれば、予めどのスタッカ６０ａ−６０ｈにどの分類用種別の内容の紙葉類が集積されるかを決めることができ、かつ、当該スタッカ６０ａ−６０ｈに集積される紙葉類の上限枚数も設定することができる。
【００８８】
紙葉類の分類用種別が通貨である場合には、分類用種別の内容としての日本円、ＵＳドル、ユーロ、中国元、インドルビー等の所定の通貨に対して、集積される紙葉類の上限枚数を設定することができる。一例としては、スタッカ６０ｈに集積される紙幣の上限枚数に関して、ユーロ紙幣を金種混合で１００枚というように設定することができる。
【００８９】
また、分類用種別が金種である場合には、分類用種別の内容としての１万円、１０００円、１００ドル、１０ドル、１００ユーロ、１０ユーロ等の金種に対して、集積される紙葉類の上限枚数を設定することができる。一例としては、スタッカ６０ａに集積される紙幣の上限枚数に関して、日本円の１０００円を３００枚というように設定することができる。
【００９０】
また、分類用種別が紙幣の刷種である場合には、分類用種別の内容としての新券や旧券等に対して、集積される紙葉類の上限枚数を設定することができる。一例としては、スタッカ６０ｂに集積される紙幣の上限枚数に関して、ＵＳドルの１００ドルの新券を５００枚というように設定することができる。また、別の例としては、スタッカ６０ｈに集積される紙幣の上限枚数に関して、通貨及び金種を混合状態として旧券１００枚というように設定することもできる。
【００９１】
また、分類用種別が紙葉類の正損である場合には、分類用種別の内容に対して、集積される紙葉類の上限枚数を設定することができる。正損の分類用種別の内容には、外部装置５００で用いられるのに適した第一分類と、外部装置５００以外で用いられるのに適した第二分類と、利用されることに適さない第三分類とが含まれてもよい。このような態様によれば、紙葉類をその痛み具合等によって３つに分けることができ、かつ、当該３つの分類毎にスタッカ６０ａ−６０ｈで集積される際の上限枚数を設定することができる。
【００９２】
また、このように紙葉類の正損分類が３つに分けられる際には、第一分類（例えば「ATM-FIT」）に対して設定される上限枚数は、第二分類（例えば「Teller-FIT」）に対して設定される上限枚数及び／又は第三分類（例えば「UNFIT」）に対して設定される上限枚数よりも多くなっていてもよい。このような態様によれば、外部装置５００で用いられ、使用枚数が一般的には多い（ＡＴＭのカセットには例えば２０００枚程度の紙幣を収容することができる。）第一分類の紙葉類に対してより多くの枚数を上限とすることができる。他方、外部装置５００以外で用いられ、使用枚数が一般的には多くない第二分類の紙葉類に対してより少ない枚数を上限とすることができる。また、再流通されず例えば中央銀行に返却されるだけの第三分類に関しても、より少ない枚数を上限とすることができる。また、このように集積される紙葉類の上限枚数を変えることで、一目見ただけで、当該スタッカ６０ａ−６０ｈに集積されている紙葉類が第一分類（例えば「ATM-FIT」）に属する紙葉類であることを操作者が把握することができ、作業効率を高めることができる。
【００９３】
また、第二分類（例えば「Teller-FIT」）に対して設定される上限枚数は、第三分類（例えば「UNFIT」）に対して設定される上限枚数と同数又は略同数（例えば１割以下の枚数の差しかない。）となっていてもよい。このようにすることで、第二分類としてスタッカ６０ａ−６０ｈで集積される紙葉類の枚数と第三分類としてスタッカ６０ａ−６０ｈで集積される紙葉類の枚数とを同数又は略同数とすることができ、集積されている紙葉類の枚数に関して操作者が覚えなければならない負担を軽減することができる。
【００９４】
分類用種別が紙幣の正損を含む場合の具体的な例を示すと、スタッカ６０ａ−６０ｄに集積される紙幣の上限枚数に関して、ＵＳドルの１００ドルの第一分類（例えば「ATM-FIT」）を５００枚というように設定し、スタッカ６０ｅ−６０ｇに集積される紙幣の上限枚数に関して、ＵＳドルの１００ドルの第二分類（例えば「Teller-FIT」）を１００枚というように設定し、スタッカ６０ｈに集積される紙幣の上限枚数に関して、ＵＳドルの１００ドルの第三分類（例えば「UNFIT」）を１００枚というように設定することもできる。
【００９５】
なお、第二分類に対して設定される上限枚数は、第三分類に対して設定される上限枚数と同数となっている必要はなく、例えば、第二分類に対して設定される上限枚数は、第三分類に対して設定される上限枚数よりも多くなっていてもよいし、逆に、第三分類に対して設定される上限枚数よりも少なくなっていてもよい。また、同様に、第一分類に対して設定される上限枚数は、第二分類に対して設定される上限枚数及び／又は第三分類に対して設定される上限枚数よりも多くなっている必要はなく、逆に、第一分類に対して設定される上限枚数は、第二分類に対して設定される上限枚数及び／又は第三分類に対して設定される上限枚数よりも少なくなっていてもよい。
【００９６】
また、分類用種別が紙葉類の表裏を含む場合には、スタッカ６０ａ−６０ｈで集積される際に上面が表面（おもてめん）である紙葉類と、スタッカ６０ａ−６０ｈで集積される際に上面が裏面である紙葉類の各々に対して、集積される際の上限枚数を設定することができる。この場合の分類用種別の内容は、表面と裏面になる。一例としては、スタッカ６０ａに集積される紙幣の上限枚数として、日本円の１０００円を上面が表面（おもてめん）となるものを２００枚と設定し、スタッカ６０ｂに集積される紙幣の上限枚数として、日本円の１０００円を上面が裏面となるものを１００枚と設定してもよい。また、別の例としては、スタッカ６０ｈに集積される紙幣の上限枚数に関して、通貨及び金種を混合状態として上面が裏面（又は表面（おもてめん））となるものを５００枚と設定することもできる。
【００９７】
また、分類用種別が紙葉類の方向を含む場合には、スタッカ６０ａ−６０ｈで集積される際に表前、表後、裏前及び裏後の各々の方向を向く紙葉類に対して、集積される際の上限枚数を設定することができる。この場合の分類用種別の内容は、表前、表後、裏前及び裏後になる。一例としては、スタッカ６０ａに集積される紙幣の上限枚数として、日本円の１０００円で表前となるものを２００枚と設定し、スタッカ６０ｂに集積される紙幣の上限枚数として、日本円の１０００円で表後となるものを２００枚と設定し、スタッカ６０ｃに集積される紙幣の上限枚数として、日本円の１０００円で裏前となるものを１００枚と設定し、スタッカ６０ｄに集積される紙幣の上限枚数として、日本円の１０００円で裏後となるものを１００枚と設定してもよい。また、別の例としては、スタッカ６０ｅに集積される紙幣の上限枚数として、通貨及び金種を混合状態として表前となるものを２００枚と設定し、スタッカ６０ｆに集積される紙幣の上限枚数として、通貨及び金種を混合状態として表後となるものを２００枚と設定し、スタッカ６０ｇに集積される紙幣の上限枚数として、通貨及び金種を混合状態として裏前となるものを１００枚と設定し、スタッカ６０ｈに集積される紙幣の上限枚数として、通貨及び金種を混合状態として裏後となるものを１００枚と設定することもできる。
【００９８】
本実施の形態の紙葉類処理装置１００が、紙葉類の分類用種別の内容に紐付けられて記憶部５６，１３６，５６０で記憶されている紙葉類の上限枚数を変更するための変更モードに切替可能となっている場合には、分類用種別の内容、すなわち、通貨の種類、紙幣の金種、紙幣の刷種、紙葉類の正損、紙葉類の表裏及び紙葉類の方向のうちの一つ以上に関して、その内容毎にスタッカ６０ａ−６０ｈに集積される紙葉類の上限枚数を設定することができる。このため、必要となる分類用種別の内容毎に細かくスタッカ６０ａ−６０ｈで集積される上限枚数を設定することができる。
【００９９】
第２の実施の形態
次に、本発明の第２の実施の形態について説明する。第２の実施の形態では、一例として、図１１に示すように１６個のスタッカ６０ａ−６０ｐが設けられている態様を用いて説明するが、これはあくまでも例に過ぎず、スタッカ６０ａ−６０ｐの数は１６個未満であってもよいし、１６個よりも多くてもよい。
【０１００】
本実施の形態では、紙葉類処理装置１００が３つ以上のスタッカユニット１１０，１２０，１３０，１４０を有しており、複数のスタッカユニット１１０，１２０，１３０，１４０に対応した報知部８１，８２が設けられている態様となっている（図１０及び図１１参照）。より具体的には、本実施の形態の報知部８１，８２は、あるスタッカ６０ａ−６０ｐで所定枚数の紙葉類を集積した場合やエラーが発生した場合に、当該あるスタッカ６０ａ−６０ｐの大まかな場所やエラーが発生した大まかな場所を報知するようになっている。より具体的には、本実施の形態では、紙葉類処理装置１００の正面側から見た場合の左側（もしくは左側端部近辺）及び／又は右側（もしくは右側端部近辺）の各々に報知部８１，８２が設けられてもよい（図１１参照）。また、各スタッカユニット１１０，１２０，１３０，１４０に位置するスタッカユニット１１０，１２０，１３０，１４０に対応して報知部８１，８２が設けられてもよい。また、報知部８１，８２が一つしか設けられていないが、当該報知部８１，８２から報知される情報の違い、例えば発せられる音情報の違い（音や音声の違い）や、表示情報の違い（表示される色、文字、記号の違いや表示態様の違い）等によって、所定枚数の紙葉類を集積したスタッカ６０ａ−６０ｐの場所やエラーが発生したスタッカ６０ａ−６０ｐの場所を大まかに報知するようにしてもよい。なお、報知部８１，８２としては、パトライト（登録商標）やＬＥＤのように操作者の視覚で認識できる表示報知部８１や、ブザーのように操作者の聴覚で認識できる音声報知部８２、又は、これら表示報知部８１及び音声報知部８２の両方等を採用することができる（図１０参照）。
【０１０１】
第２の実施の形態において、その他の構成は、第１の実施の形態と略同一の態様となっている。第２の実施の形態において、第１の実施の形態と同一部分には同一符号を付して詳細な説明は省略する。
【０１０２】
本実施の形態でも、第１の実施の形態と同様の効果を奏することができる。
【０１０３】
また、本実施の形態によれば、報知部８１，８２によって、あるスタッカ６０ａ−６０ｐで所定枚数の紙葉類を集積した場合やエラーが発生した場合に、当該あるスタッカ６０ａ−６０ｐの場所やエラーが発生した大まかな場所を報知することができる。このため、所定枚数の紙葉類を集積したスタッカ６０ａ−６０ｐの場所やエラーが発生したユニット１０５，１１０，１２０，１３０，１４０の場所を操作者が容易に認識することができる。この結果、操作者は自己が作業しなければならない個所を容易に認識することができ、作業効率を高めることができる。
【０１０４】
また、紙葉類処理装置１００の正面側から見た場合の左側（もしくは左側端部近辺）及び右側（もしくは右側端部近辺）の各々に報知部８１，８２が設けられている場合には（図１１参照）、設置しなければならない報知部８１，８２の数を減らしつつ、操作者が何らしかの作業を行わなければならないユニット１０５，１１０，１２０，１３０，１４０の大まかな場所を報知部８１，８２によって操作者に知らせることができる。
【０１０５】
また、紙葉類処理装置１００の正面側から見た場合に左側に位置するスタッカユニット１１０，１２０のいずれかと、右側に位置するスタッカユニット１３０，１４０のいずれかに対応して報知部８１，８２が設けられている場合にも、同様に、設置しなければならない報知部８１，８２の数を減らしつつ、操作者が何らしかの作業を行わなければならないユニット１０５，１１０，１２０，１３０，１４０の大まかな場所を報知部８１，８２によって操作者に知らせることができる。
【０１０６】
また、各スタッカユニット１１０，１２０，１３０，１４０に対応して報知部８１，８２が設けられている場合には、操作者が何らしかの作業を行わなければならないユニット１０５，１１０，１２０，１３０，１４０をピンポイントで特定することができ、作業効率をより高めることができる。
【０１０７】
なお、本実施の形態では、上部ユニット１０５でエラーが発生した場合には、紙葉類処理装置１００の正面側から見た場合に左端に位置するスタッカユニット１１０で所定枚数の紙葉類を集積した場合やエラーが発生した場合に報知を行う報知部８１，８２によって、所定の情報が報知されることとなる。
【０１０８】
ちなみに、あるスタッカ６０ａ−６０ｐで所定枚数の紙葉類を集積した場合とエラーが発生した場合とで、報知部８１，８２による報知態様が異なっていてもよい。このような態様によれば、操作者は自己が行わなければならない作業がスタッカ６０ａ−６０ｐから単純に紙葉類を除去するだけであるのか、ユニット１０５，１１０，１２０，１３０，１４０内で発生したエラーを解除する必要があるのかを容易に把握することができる。
【０１０９】
報知部８１，８２として、操作者の視覚で認識できる表示報知部８１を採用している場合には、あるスタッカ６０ａ−６０ｐで所定枚数の紙葉類を集積した場合とエラーが発生した場合とで表示報知部８１による表示態様を異ならせればよい。一例としてパトライトを用いた場合には、あるスタッカ６０ａ−６０ｐで所定枚数の紙葉類を集積した場合とエラーが発生した場合とでパトライトの表示態様を異ならせればよいし、他の例としてＬＥＤを用いた場合には、あるスタッカ６０ａ−６０ｐで所定枚数の紙葉類を集積した場合には例えば「BATCH」というような文字情報を表示させ、エラーが発生した場合には例えば「ERROR」というような文字情報を表示させればよい。この際には、所定枚数の紙葉類を集積したスタッカ６０ａ−６０ｐを特定しつつスタッカ６０ａ−６０ｐ内に所定枚数の紙葉類が集積された旨を表示して知らせてもよいし、エラーが発生したユニット１０５，１１０，１２０，１３０，１４０を特定しつつエラーが発生した旨を表示して知らせてもよい。
【０１１０】
また、報知部８１，８２として、操作者の聴覚で認識できる音声報知部８２を採用している場合には、あるスタッカ６０ａ−６０ｐで所定枚数の紙葉類を集積した場合とエラーが発生した場合とで音声報知部８２による音声情報を異ならせればよい。一例としては、スタッカ６０ａ−６０ｐ内に所定枚数の紙葉類が集積された旨を音声で知らせてもよいし、エラーが発生した旨を音声で知らせてもよい。なお、この際には、所定枚数の紙葉類を集積したスタッカ６０ａ−６０ｐを特定しつつスタッカ６０ａ−６０ｐ内に所定枚数の紙葉類が集積された旨を音声で知らせてもよいし、エラーが発生したユニット１０５，１１０，１２０，１３０，１４０を特定しつつエラーが発生した旨を音声で知らせてもよい。ちなみに、エラーの種類に応じて報知部８１，８２による報知態様が異なっていてもよい。この場合には、操作者はどのようなエラーが発生したかも容易に把握することができるようになる。
【０１１１】
また、音声報知部８２がブザー等のような単純な音を発するだけの場合には、紙葉類処理装置１００の正面側から見た場合に左側に位置する音声報知部８２から発生される音と、右側に位置する音声報知部８２から発生される音とで異なるものとしてもよい。この場合には、音の違いによっても、操作者はどのあたりで自己が作業を行わなければならないかを把握することができる。
【０１１２】
ちなみに、あるスタッカ６０ａ−６０ｐで所定枚数の紙葉類を集積した場合には、個別表示部５１ａ−５１ｈでもその旨が表示されてもよい。このような個別表示部５１ａ−５１ｈでも表示を行うことで、どのスタッカ６０ａ−６０ｐで所定枚数の紙葉類を集積したかをピンポイントで特定することができる。
【０１１３】
また、エラーが発生した場合には、エラーが発生した場所に対応して、スタッカユニット１１０，１２０，１３０，１４０に設けられた１つ、複数又は全ての個別表示部５１ａ−５１ｈの表示態様が通常時と異なるようになってもよい。一例としては、エラーが発生したスタッカユニット１１０，１２０，１３０，１４０に設けられた個別表示部５１ａ−５１ｈの１つ、複数又は全てがエラーを示す表示態様となる。このような態様によれば、報知部８１，８２を別途設けることなく、エラーが発生したユニット１０５，１１０，１２０，１３０，１４０の大まかな場所を操作者に知らせることができる。
【０１１４】
また、あるスタッカ６０ａ−６０ｐで所定枚数の紙葉類を集積した場合にも、例えば一定時間の間、当該あるスタッカ６０ａ−６０ｐの場所に対応して、スタッカユニット１１０，１２０，１３０，１４０に設けられた１つ、複数又は全ての個別表示部５１ａ−５１ｈの表示態様が通常時と異なるようになってもよい。一例としては、所定枚数の紙葉類を集積したスタッカ６０ａ−６０ｐを含むスタッカユニット１１０，１２０，１３０，１４０に設けられた個別表示部５１ａ−５１ｈの１つ、複数又は全てが所定枚数の紙葉類が集積されたことを示す表示態様となる。このような態様によれば、報知部８１，８２を別途設けることなく、所定枚数の紙葉類を集積したユニット１０５，１１０，１２０，１３０，１４０の大まかな場所を操作者に知らせることができる。なお、一定時間の間、個別表示部５１ａ−５１ｈの表示態様が通常時と異なるようになった後で、所定枚数の紙葉類を集積したあるスタッカ６０ａ−６０ｐに対応する個別表示部５１ａ−５１ｈがその旨を表示してもよい。
【０１１５】
ところで、上記では、第２の実施の形態が、第１の実施の形態と略同一の態様となっているとして説明したが、これに限られることはない。つまり、第２の実施の形態は第１の実施の形態から独立した態様となっていてもよい。このため、紙葉類処理装置１００が３つ以上のスタッカユニット１１０，１２０，１３０，１４０を有しており、複数のスタッカユニット１１０，１２０，１３０，１４０に対応した報知部８１，８２が設けられていればよく、その他の限定は特に必要ない。
【０１１６】
第３の実施の形態
次に、本発明の第３の実施の形態について説明する。
【０１１７】
第３の実施の形態では、あるユニット１０５，１１０，１２０，１３０，１４０内に設けられた駆動部１０５ａ，１１０ａ，１２０ａ，１３０ａ，１４０ａと、当該あるユニット１０５，１１０，１２０，１３０，１４０とは別のユニット１０５，１１０，１２０，１３０，１４０内に設けられた駆動部１０５ａ，１１０ａ，１２０ａ，１３０ａ，１４０ａの各々の駆動を独立して制御できるようになっている。具体的な例として図１及び図２に示すように８個のスタッカ６０ａ−６０ｈを有する紙葉類処理装置を挙げるとすると、上部ユニット１０５内に設けられた上部駆動部１０５ａ、スタッカ６０ａ−６０ｄを含む第一スタッカユニット１１０内に設けられた第一下部駆動部１１０ａ、及び、スタッカ６０ｅ−６０ｈを含む第二スタッカユニット１２０内に設けられた第二下部駆動部１２０ａの各々の駆動を独立して制御できるようになっている。
【０１１８】
そして、紙葉類が通過することから利用が必要な場合にだけ、上部駆動部１０５ａ、第一下部駆動部１１０ａ及び第二下部駆動部１２０ａの各々が駆動されるようにしてもよい。また、駆動部７１の起動にある程度の時間がかかる場合には、上流側に位置する駆動部７１、図１及び図２に示す態様では上部駆動部１０５ａ及び第一下部駆動部１１０ａは紙葉類を処理している間は常時駆動されているが、第二下部駆動部１２０ａは識別部５５による識別結果に基づいて駆動が必要であると制御部５０，１３５，５５０で判断された場合にだけ駆動されてもよい。
【０１１９】
第３の実施の形態において、その他の構成は、第１の実施の形態と略同一の態様となっている。第３の実施の形態において、第１の実施の形態と同一部分には同一符号を付して詳細な説明は省略する。
【０１２０】
本実施の形態でも、第１の実施の形態と同様の効果を奏することができる。
【０１２１】
また、本実施の形態によれば、上部駆動部１０５ａ、第一下部駆動部１１０ａ及び第二下部駆動部１２０ａの各々の駆動を独立して制御できるようになっている。このため、紙葉類が通過することから利用が必要な場合にだけ、上部駆動部１０５ａ、第一下部駆動部１１０ａ及び第二下部駆動部１２０ａのうち駆動する必要があるもののみ駆動することができる。したがって、消費電力を抑制することができるし、無駄な駆動部７１が駆動されることで発生する騒音を抑えることができる。
【０１２２】
また、駆動部７１の起動にある程度の時間がかかる場合であっても、上流側に位置する駆動部７１は紙葉類を処理している間は常時駆動し、下流側に位置する駆動部７１は識別部５５による識別結果に基づいて駆動が必要であると制御部５０，１３５，５５０で判断された場合にだけ駆動されるようにすれば、紙葉類の処理効率を下げることなく、省電力及び低騒音を実現することができる。
【０１２３】
なお、本実施の形態による態様は、スタッカ６０の数が多いほど有益である。以下では、一例として図４に示すように１６個のスタッカ６０ａ−６０ｐが設けられている態様を用いて説明する。そして、上部駆動部１０５ａ、第一下部駆動部１１０ａ、第二下部駆動部１２０ａ、第三下部駆動部１３０ａ及び第四下部駆動部１４０ａの各々の駆動を独立して制御できるようになっているものとする（図６参照）。
【０１２４】
図４に示すような態様では、上述した「自動決定モード」及び「動的決定モード」ではスタッカ６０ｉ−６０ｌやスタッカ６０ｍ−６０ｐで紙葉類が集積される頻度が低くなる傾向がある。このため、紙葉類が通過することから利用が必要な場合にだけ、第三下部駆動部１３０ａ及び第四下部駆動部１４０ａを駆動することで、より一層、消費電力を抑制することができるし、無駄な駆動部７１が駆動されることで発生する騒音を抑えることができる。
【０１２５】
また、図４に示すような態様で、駆動部７１の起動にある程度の時間がかかる場合には、上流側に位置する駆動部７１、例えば上部駆動部１０５ａ、第一下部駆動部１１０ａ及び第二下部駆動部１２０ａは紙葉類を処理している間は常時駆動し、下流側に位置する駆動部７１、例えば第三下部駆動部１３０ａ及び第四下部駆動部１４０ａ（又は第四下部駆動部１４０ａのみ）には識別部５５による識別結果に基づいて駆動が必要であると制御部５０，１３５，５５０で判断された場合にだけ駆動するようにすれば、紙葉類の処理効率を下げることなく、省電力及び低騒音を実現することができる。なお、この態様では、識別部５５で紙葉類が識別されてから当該紙葉類が第三スタッカユニット１３０（紙葉類の搬送方向において最後から２つ目のユニット）に搬送されるまでにはそれなりの時間がかかることから、紙葉類が第三スタッカユニット１３０に到達した時点で第三下部駆動部１３０ａを駆動することができずに処理効率が下がる事態が発生する可能性を低くすることができる。
【０１２６】
ところで、上記では、第３の実施の形態が、第１の実施の形態と略同一の態様となっているとして説明したが、これに限られることはない。つまり、第３の実施の形態は第１の実施の形態から独立した態様となっていてもよい。このため、あるユニット１０５，１１０，１２０，１３０，１４０内に設けられた駆動部１０５ａ，１１０ａ，１２０ａ，１３０ａ，１４０ａと、当該あるユニット１０５，１１０，１２０，１３０，１４０とは別のユニット１０５，１１０，１２０，１３０，１４０内に設けられた駆動部１０５ａ，１１０ａ，１２０ａ，１３０ａ，１４０ａの各々の駆動を独立して制御できるようになっていればよく、その他の限定は特に必要ない。
【０１２７】
また、第３の実施の形態は第２の実施の形態と組み合わされて採用されてもよい。つまり、第３の実施の形態において、紙葉類処理装置１００が３つ以上のスタッカユニット１１０，１２０，１３０，１４０を有しており、複数のスタッカユニット１１０，１２０，１３０，１４０に対応した報知部８１，８２が設けられていてもよい（図１０及び図１１参照）。
【０１２８】
第４の実施の形態
次に、本発明の第４の実施の形態について説明する。
【０１２９】
第４の実施の形態でも、第３の実施の形態と同様、あるユニット１０５，１１０，１２０，１３０，１４０内に設けられた駆動部１０５ａ，１１０ａ，１２０ａ，１３０ａ，１４０ａと、当該あるユニット１０５，１１０，１２０，１３０，１４０とは別のユニット１０５，１１０，１２０，１３０，１４０内に設けられた駆動部１０５ａ，１１０ａ，１２０ａ，１３０ａ，１４０ａの各々の駆動を独立して制御できるようになっている。具体的な例として図４に示すように１６個のスタッカ６０ａ−６０ｐを有する紙葉類処理装置を挙げるとすると、上部ユニット１０５内に設けられた上部駆動部１０５ａ、スタッカ６０ａ−６０ｄを含む第一スタッカユニット１１０内に設けられた第一下部駆動部１１０ａ、スタッカ６０ｅ−６０ｈを含む第二スタッカユニット１２０内に設けられた第二下部駆動部１２０ａ、スタッカ６０ｉ−６０ｌを含む第三スタッカユニット１３０内に設けられた第三下部駆動部１３０ａと、スタッカ６０ｍ−６０ｐを含む第四スタッカユニット１４０内に設けられた第四下部駆動部１４０ａの各々の駆動を独立して制御できるようになっている。
【０１３０】
そして、本実施の形態では、搬送異常等のエラーが発生した場合には、エラーが発生したユニット１０５，１１０，１２０，１３０，１４０内の駆動部７１の駆動が停止されるが、エラーが発生したユニット１０５，１１０，１２０，１３０，１４０以外のユニット１０５，１１０，１２０，１３０，１４０では駆動部７１の駆動は停止されずに、搬送中の紙葉類を適切なスタッカ６０ａ−６０ｐ、例えば当該紙葉類の下流側に位置するスタッカ６０ａ−６０ｐのうち最も近くのスタッカ６０ａ−６０ｐへと搬送する態様となっている。なお、これはあくまでも一例であり、エラーが発生したユニット１０５，１１０，１２０，１３０，１４０以外のユニット１０５，１１０，１２０，１３０，１４０では、搬送中の紙葉類を当該紙葉類よりも下流側のスタッカ６０ａ−６０ｐへ搬送できるようになっていればよい。
【０１３１】
第４の実施の形態において、その他の構成は、第１の実施の形態と略同一の態様となっている。第４の実施の形態において、第１の実施の形態と同一部分には同一符号を付して詳細な説明は省略する。
【０１３２】
本実施の形態でも、第１の実施の形態と同様の効果を奏することができる。
【０１３３】
また、本実施の形態によれば、搬送異常等のエラーが発生した場合であっても全てのユニット１０５，１１０，１２０，１３０，１４０内の駆動部７１の駆動が停止されることはなく、エラーが発生したユニット１０５，１１０，１２０，１３０，１４０内の駆動部７１の駆動だけが停止される。そして、エラーが発生したユニット１０５，１１０，１２０，１３０，１４０以外のユニット１０５，１１０，１２０，１３０，１４０では駆動部７１の駆動は停止されずに、搬送中の紙葉類を適切なスタッカ６０ａ−６０ｐ、例えば当該紙葉類の下流側に位置するスタッカ６０ａ−６０ｐのうち最も近くのスタッカ６０ａ−６０ｐへと搬送される。このため、エラーが発生していないユニット１０５，１１０，１２０，１３０，１４０内で搬送されている紙葉類をスタッカ６０ａ−６０ｐへと搬送することができ、当該紙葉類を取り除くために筐体１をわざわざ開ける必要がない。また、筐体１内に紙葉類が取り残される可能性を低減することができる。
【０１３４】
この点について説明する。搬送異常等のエラーが発生した場合に、エラーが発生していないユニット１０５，１１０，１２０，１３０，１４０内の駆動部７１の駆動が停止されると、当該ユニット１０５，１１０，１２０，１３０，１４０内にある紙葉類も筐体１を開けて回収する必要があるが、本実施の形態によれば、エラーが発生していないユニット１０５，１１０，１２０，１３０，１４０に関しては、このように筐体１を開けて当該ユニット１０５，１１０，１２０，１３０，１４０内にある紙葉類を回収する必要がない。このため、本実施の形態によれば、操作者の作業効率を高めることができるとともに、紙葉類が搬送路中に放置されてしまう事態が発生することを極力防止することができる。
【０１３５】
また、本実施の形態によれば、エラーが発生していないスタッカユニット１１０，１２０，１３０，１４０のスタッカ６０ａ−６０ｐに紙葉類が搬送されることから、紙葉類が搬送されていないスタッカ６０ａ−６０ｐを含むスタッカユニット１１０，１２０，１３０，１４０でエラーが発生したと操作者は認識することができる。ところで、上部ユニット１０５でエラーが発生し、スタッカユニット１１０，１２０，１３０，１４０ではエラーが発生していない場合には、各スタッカユニット１１０，１２０，１３０，１４０のスタッカ６０ａ−６０ｐに紙葉類が搬送可能となる。したがって、各スタッカユニット１１０，１２０，１３０，１４０のスタッカ６０ａ−６０ｐに紙葉類が搬送された場合には、操作者は上部ユニット１０５で搬送異常等のエラーが発生したことを認識することができる。
【０１３６】
次に、具体的な例を用いて説明する。この具体的な例においては、図４において、第三スタッカユニット１３０で紙葉類が詰まるエラーが発生した場合を想定して説明する。この場合には、第三下部駆動部１３０ａの駆動が停止されるものの、それ以外の駆動部７１、つまり、上部駆動部１０５ａ、第一下部駆動部１１０ａ、第二下部駆動部１２０ａ及び第四下部駆動部１４０ａの駆動は停止されず、エラー発生時に上部ユニット１０５，第一スタッカユニット１１０、第二スタッカユニット１２０及び第四スタッカユニット１４０内に存在する紙葉類は、当該紙葉類の下流側に位置する最も近くのスタッカ６０ａ−６０ｐへと搬送されることとなる。このため、操作者は、上部ユニット１０５、第一スタッカユニット１１０、第二スタッカユニット１２０及び第四スタッカユニット１４０を開けることなく、第三スタッカユニット１３０のみを開けて当該第三スタッカユニット１３０内で詰まった紙葉類を除去すればよい。
【０１３７】
ところで、上記では、第４の実施の形態が、第１の実施の形態と略同一の態様となっているとして説明したが、これに限られることはない。つまり、第４の実施の形態は第１の実施の形態から独立した態様となっていてもよい。このため、搬送異常等のエラーが発生した場合には、エラーが発生したユニット１０５，１１０，１２０，１３０，１４０内の駆動部７１の駆動が停止されるが、エラーが発生したユニット１０５，１１０，１２０，１３０，１４０以外のユニット１０５，１１０，１２０，１３０，１４０では駆動部７１の駆動は停止されずに、搬送中の紙葉類を適切なスタッカ６０ａ−６０ｐへと搬送する態様となっていればよく、その他の限定は特に必要ない。
【０１３８】
また、第４の実施の形態は第２の実施の形態と組み合わされて採用されてもよい。つまり、第４の実施の形態において、紙葉類処理装置１００が３つ以上のスタッカユニット１１０，１２０，１３０，１４０を有しており、複数のスタッカユニット１１０，１２０，１３０，１４０に対応した報知部８１，８２が設けられていてもよい（図１０及び図１１参照）。
【０１３９】
最後になったが、上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【０１４０】
５０        メイン制御部（制御部）
５５        識別部
５６        メイン記憶部（記憶部）
７０        搬送部
７１        駆動部
６０ａ−６０ｐ  スタッカ
１０５      上部ユニット
１０５ａ    上部駆動部
１１０      第一スタッカユニット
１１０ａ    第一下部駆動部
１２０      第二スタッカユニット
１２０ａ    第二下部駆動部
１３０      第三スタッカユニット
１３０ａ    第三下部駆動部
１３５      スタッカ制御部（制御部）
１３６      スタッカ記憶部（記憶部）
１４０      第四スタッカユニット
１４０ａ    第四下部駆動部
２１０ａ−２１０ｃ  帯封一時保留部
５００      外部装置
５４０      外部表示部
５５０      外部制御部（制御部）
５６０      外部記憶部（記憶部）
【図１】
2016085595.tif 000004
【図２】
2016085595.tif 000005
【図３】
2016085595.tif 000006
【図４】
2016085595.tif 000007
【図５】
2016085595.tif 000008
【図６】
2016085595.tif 000009
【図７】
2016085595.tif 000010
【図８】
2016085595.tif 000011
【図９】
2016085595.tif 000012
【図１０】
2016085595.tif 000013
【図１１】
2016085595.tif 000014